(57)【要約】      （修正有）【課題】視覚障害者とその介護者等が手軽に利用できる視覚障害者用インデックス付き情報媒体を提供する。【解決手段】帯状の紙片を第１の長さと第２の長さを交互に取って、山折、谷折して折り返すことにより形成される情報媒体１であって、紙片の一方の面からなる第１の表示部１０と、他方の面からなる第２の表示部と、を備える。第１の表示部１０及び第２の表示部が、それぞれ、折り重ねた際に露出して見出しを表示するインデックス表示部１１と、そのインデックス表示部１１に連設され、折り重ねた際には隠れる部位からなるコンテンツ表示部１２と、を有し、インデックス表示部１１に点字を形成する。【選択図】図１
0003160578.tif 000002
【実用新案登録請求の範囲】
【請求項１】
帯状の紙片を交互に山折、谷折して折り返すことにより形成される情報媒体であって、
前記紙片の一方の面からなる第１の表示部と、他方の面からなる第２の表示部と、を備え、
前記第１の表示部及び第２の表示部が、それぞれ、見出しを表示するインデックス表示部と、該インデックス表示部に連設されるコンテンツ表示部と、を有し、
前記インデックス表示部に点字を形成することを特徴とする視覚障害者用インデックス付き情報媒体。
【請求項２】
前記インデックス表示部に、点字と共に文字、記号、又はそれに類する視覚表現を記載することを特徴とする請求項１に記載の視覚障害者用インデックス付き情報媒体。
【請求項３】
前記コンテンツ表示部に点字を形成すると共に、文字、記号、又はそれに類する視覚表現を記載することを特徴とする請求項１に記載の視覚障害者用インデックス付き情報媒体。
【考案の詳細な説明】
【技術分野】
【０００１】
本考案は、インデックスを備えた携帯可能な情報媒体に係り、特に、視覚障害者とその介護者等の利用を目的とする視覚障害者用インデックス付き情報媒体に関する。
【背景技術】
【０００２】
通常、携帯に便利でかつ安価な情報媒体としては、印刷が施された複数枚の紙片を重ねて冊子状にしたものや、印刷が施された紙片を折り曲げて重ねたもの等が用いられている。
【０００３】
このような情報媒体では、内容を検索する場合に目次を参照したり、実際に内容を検めて確認する等、視覚に頼った方法を採るのが一般的である。そのため、視覚障害者の使用には適していないという問題があった。
【考案の概要】
【考案が解決しようとする課題】
【０００４】
上述のように、対象を視覚障害者に絞った携帯可能で安価な情報媒体は、これまでになかった。
【０００５】
本考案は、上記従来の状況に鑑みて、視覚障害者とその介護者等が手軽に利用できる視覚障害者用インデックス付き情報媒体を提供することを目的とする。
【課題を解決するための手段】
【０００６】
本考案は、上記課題を解決するために、帯状の紙片を交互に山折、谷折して折り返すことにより形成される情報媒体であって、前記紙片の一方の面からなる第１の表示部と、他方の面からなる第２の表示部とを備え、前記第１の表示部及び第２の表示部が、それぞれ、見出しを表示するインデックス表示部と、そのインデックス表示部に連設されるコンテンツ表示部とを有し、前記インデックス表示部に点字を形成することを特徴とする視覚障害者用インデックス付き情報媒体を提供する。
【０００７】
ここで、前記インデックス表示部に、点字と共に文字、記号、又はそれに類する視覚表現を記載するようにしても良い。
【０００８】
また、前記コンテンツ表示部にも点字を形成すると共に、文字、記号、又はそれに類する視覚表現を記載するようにしても良い。
【考案の効果】
【０００９】
本考案によれば、点字インデックスを備えることにより視覚障害者とその介護者等が手軽に利用できる、携帯可能かつ安価な視覚障害者用インデックス付き情報媒体を提供することが可能となる。
【図面の簡単な説明】
【００１０】
【図１】本考案の視覚障害者用インデックス付き情報媒体の概要を示す全体概略図である。
【図２】図１の視覚障害者用インデックス付き情報媒体の折畳みを開いた状態を示す模式図である。
【図３】図１の視覚障害者用インデックス付き情報媒体の折畳んだ状態を示すための模式図である。
【図４】図１の視覚障害者用インデックス付き情報媒体を第１の表示部側から見た模式図である。
【図５】図１の視覚障害者用インデックス付き情報媒体を第２の表示部側から見た模式図である。
【図６】図１の視覚障害者用インデックス付き情報媒体におけるインデックス表示部の具体例を示す。
【考案を実施するための形態】
【００１１】
以下、本考案の実施の形態について、図面を参照しながら詳細に説明する。
図１は、本考案の視覚障害者用インデックス付き情報媒体の概要を示す全体概略図である。また図２は、その折畳みを開いた状態を示す模式図、図３は、その折畳んだ状態を示すための模式図である。
【００１２】
これらの図に示すように、本考案の視覚障害者用インデックス付き情報媒体１（以下、単に情報媒体１という）は、山折と谷折を交互に繰り返して重ね合わされた長尺な帯状の紙片２から構成される。ここで、情報媒体１（紙片２）の一方の面を第１の表示部１０、他方の面を第２の表示部２０とする（図３参照）。このように紙片２の両面を利用することで、より多くの情報を掲載することが可能となる。
【００１３】
紙片２の折目と折目の間隔は、図２に示すように、間隔Ａと間隔Ｂ（Ａ＞Ｂ）を交互に空けるようにする。これにより、重ね合わせた状態で見出しとなる、間隔（Ａ−Ｂ）を有するインデックス表示部１１、２１が、第１の表示部１０、第２の表示部２０の双方に形成される。
【００１４】
また、紙片２が折畳まれた状態で最も上に位置する部分が表紙部１３、２３となる。さらに、折畳まれた状態では露出せず、折目を開いた際に露出する部分がコンテンツ表示部１２、２２となる。ここにインデックス表示部１１、２１が示す情報の内容が表示される。
【００１５】
図４は、情報媒体１を第１の表示部１０側から見た模式図であり、図４（ａ）は表紙部１３を閉じた状態、図４（ｂ）は表紙部１３を開いた状態を示している。さらに図５は、情報媒体１を第２の表示部２０側から見た模式図であり、図５（ａ）は表紙部２３を閉じた状態、図５（ｂ）は表紙部２３を開いた状態を示している。
【００１６】
これらの図に示すように、第１の表示部１０及び第２の表示部２０は、それぞれ複数のインデックス表示部１１、２１（ここでは例として、１１Ａ〜１１Ｆ、２１Ａ〜２１Ｆ）を備えている。情報媒体１の利用者は、任意のインデックス表示部１１、２１（ここでは１１Ａ、２１Ａ）を開くことにより、任意のコンテンツ表示部１２、２２（ここでは１２Ａ、２２Ａ）にアクセスすることが可能となる。
【００１７】
ここで、インデックス表示部１１、２１には、視覚障害者が触覚で読解できるよう、点字の凹凸が形成されている。図６にインデックス表示部１１、２１の具体例を示す。図６に示すように、インデックス表示部１１、２１には、視覚障害者の介護者や周囲の健常者でも内容が理解できるよう、形成された点字と同内容の文字や記号、あるいはそれに類する視覚表現（イラスト等）が印刷されていることが好ましい。
【００１８】
コンテンツ表示部１２、２２には、連設されたインデックス表示部１１、２１が表示する見出しに関する情報が表示される。その表示方法は、視覚障害者向けに点字で記載されていても良いし、その介護者や周囲の健常者向けに文字や記号、イラスト等の視覚表現で記載されていても良い。また、双方が併記されていても良い。
【００１９】
なお、インデックス表示部１１、２１とコンテンツ表示部１２、２２は、共に横書で内容が表示されても、縦書で内容が表示されても良い。ただし、点字は横書きで表示されるため、情報を提供する対象や目的によって適宜対応するのが好ましい。
【００２０】
表紙部１３、２３には、情報媒体１全体の内容を総括した情報を記載するのが好適である。その表示方法は、コンテンツ表示部１２、２２と同様に視覚障害者向けに点字で記載されていても良いし、その介護者や周囲の健常者向けに文字やイラスト等の視覚表現で記載されていても良い。また、双方が併記されていても良い。
【００２１】
本考案の視覚障害者用インデックス付き情報媒体１は、主に、視覚障害者向けの案内や広告情報等を掲載するのに適している。またその他に、視覚障害者がインデックス表示部１１、２１やコンテンツ表示部１２、２２内を点字で検索し、健常者に検索内容を確認してもらうことで意思を正確に伝える用途等、様々な利用方法が考えられる。また、上記のようなコミュニケーションツールとしての用途や広告宣伝ツールとしての用途等を、複数組み合わせた構成とすることも可能である。
【００２２】
上記のように構成することで、本考案では、点字インデックスを備えることにより視覚障害者とその介護者等が手軽に利用できる、携帯可能かつ安価な情報媒体を提供することが可能となる。
【００２３】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００２４】
本考案は、インデックスを備えた携帯可能な情報媒体に係り、特に、視覚障害者とその介護者等の利用を目的とする視覚障害者用インデックス付き情報媒体に関し、産業上の利用可能性を有する。
【符号の説明】
【００２５】
１      視覚障害者用インデックス付き情報媒体
２      帯状の紙片
１０    第１の表示部
１１    インデックス表示部
１２    コンテンツ表示部
１３    表紙部
２０    第２の表示部
２１    インデックス表示部
２２    コンテンツ表示部
２３    表紙部
【図１】
0003160578.tif 000003
【図２】
0003160578.tif 000004
【図３】
0003160578.tif 000005
【図４】
0003160578.tif 000006
【図５】
0003160578.tif 000007
【図６】
0003160578.tif 000008
【手続補正書】
【提出日】平成22年4月19日(2010.4.19)
【手続補正１】
【補正対象書類名】実用新案登録請求の範囲
【補正対象項目名】請求項１
【補正方法】変更
【補正の内容】
【請求項１】
帯状の紙片を、所定の第１の長さと第２の長さを交互に取って山折、谷折して折り返すことにより形成される情報媒体であって、
前記紙片の一方の面からなる第１の表示部と、他方の面からなる第２の表示部と、を備え、
前記第１の表示部及び第２の表示部が、それぞれ、折り重ねた際に露出して見出しを表示するインデックス表示部と、該インデックス表示部に連設され折り重ねた際には隠れる部位からなるコンテンツ表示部と、を有し、
前記インデックス表示部に点字を形成することを特徴とするインデックス付き情報媒体。
【手続補正２】
【補正対象書類名】明細書
【補正対象項目名】０００６
【補正方法】変更
【補正の内容】
【０００６】
本考案は、上記課題を解決するために、帯状の紙片を、所定の第１の長さと第２の長さを交互に取って山折、谷折して折り返すことにより形成される情報媒体であって、前記紙片の一方の面からなる第１の表示部と、他方の面からなる第２の表示部と、を備え、前記第１の表示部及び第２の表示部が、それぞれ、折り重ねた際に露出して見出しを表示するインデックス表示部と、そのインデックス表示部に連設され折り重ねた際には隠れる部位からなるコンテンツ表示部と、を有し、前記インデックス表示部に点字を形成することを特徴とするインデックス付き情報媒体を提供する。